(57)【特許請求の範囲】
【請求項１】
気体が通過可能に互いに所定の間隔をあけて積層して配置された複数枚の板状フィンと、該板状フィンを貫通すると共に蛇行するように構成され、内部を冷媒が通過する伝熱管とを備えたフィンチューブ熱交換器において、
前記板状フィンには、複数枚の前記板状フィンを積層した方向に切り起された複数のスリット部を備え、
前記複数のスリット部は、該板状フィンの一方の面側に突出する第１スリット群と、前記板状フィンの他方の面側に突出する第２スリット群とを備え、
前記第１スリット群及び第２スリット群の中のスリット部のうち、気体の流れに対して最上流に位置する第１スリット群のスリット部の前記板状フィンからの突出高さ（Ｈｓ１）と、前記第１スリット群及び第２スリット群の中のスリット部のうち、気体の流れに対して２番目に位置する第２スリット群のスリット部の前記板状フィンからの突出高さ（Ｈｓ２）との関係が、
１．２≦Ｈｓ１／Ｈｓ２≦１．６
となるように構成していることを特徴とするフィンチューブ熱交換器。
【請求項２】
請求項１に記載のフィンチューブ熱交換器において、前記第１スリット群を構成しているスリット部の高さを同一高さとし、また前記第２スリット群を構成しているスリット部の高さも同一高さに構成されていることを特徴とするフィンチューブ熱交換器。
【請求項３】
請求項１に記載のフィンチューブ熱交換器において、気体の流れに対して最上流に位置するスリット部の前記板状フィンからの突出高さ（Ｈｓ１）と、前記気体の流れに対して２番目に位置するスリット部の前記板状フィンからの突出高さ（Ｈｓ２）との関係を、
Ｈｓ１／Ｈｓ２＝１．３
となるように構成していることを特徴とするフィンチューブ熱交換器。
【請求項４】
請求項１に記載のフィンチューブ熱交換器において、前記板状フィンの積層方向に切り起された前記複数のスリット部のうち、前記フィン列方向中心に位置する中心スリット部の立ち上げ高さをゼロ（立ち上げ無し）に構成していることを特徴とするフィンチューブ熱交換器。
【請求項５】
請求項１に記載のフィンチューブ熱交換器において、前記伝熱管の外径（Ｄ）が４〜６ｍｍであることを特徴とするフィンチューブ熱交換器。
【請求項６】
請求項５に記載のフィンチューブ熱交換器において、複数枚の前記板状フィンには、前記蛇行するように構成されている伝熱管の直管部が前記板状フィンの段方向（長手方向）に等間隔に複数段に貫通され、各前記直管部の段方向の間隔である段ピッチＰｔを、
１２ｍｍ≦Ｐｔ＜１４ｍｍ
の範囲になるように構成したことを特徴とするフィンチューブ熱交換器。
【請求項７】
請求項６に記載のフィンチューブ熱交換器において、複数枚の前記板状フィンで構成されているフィンの列が気体の流れ方向に複数列設けられ、各列の伝熱管直管部間の間隔である列ピッチＰＬを、
８ｍｍ≦ＰＬ≦１０ｍｍ
の範囲になるように構成したことを特徴とするフィンチューブ熱交換器。
【請求項８】
請求項７に記載のフィンチューブ熱交換器において、前記各スリット部の幅（Ｗｓ）を０．８〜１．４ｍｍ、フィンピッチ（Ｐｆ）を１．０〜１．５ｍｍとしたことを特徴とするフィンチューブ熱交換器。
【請求項９】
請求項１に記載のフィンチューブ熱交換器において、前記板状フィンにその積層方向に切り起された前記複数のスリット部の板状フィンからの突出高さが、フィン列方向中心線から外側に位置するスリット部ほど高くなるように構成すると共に、前記各スリット部の立ち上がり傾斜部の立ち上がり位置を伝熱管の同心円状に配置したことを特徴とするフィンチューブ熱交換器。
【請求項１０】
請求項１に記載のフィンチューブ熱交換器において、前記板状フィンにその積層方向に切り起された前記複数のスリット部の板状フィンからの突出高さが、フィン列方向中心線に対して左右対称になるように構成されていることを特徴とするフィンチューブ熱交換器。
【請求項１１】
請求項１に記載のフィンチューブ熱交換器において、前記板状フィンの列方向の両端部近傍に山形形状のリブが形成されていることを特徴とするフィンチューブ熱交換器。
【請求項１２】
請求項７に記載のフィンチューブ熱交換器において、前記フィン列が気体の流れ方向に３列設けられると共に、前記各列のフィンを貫通する前記伝熱管の直管部が、気体の流れ方向に３列で千鳥状に配置されていることを特徴とするフィンチューブ熱交換器。
【請求項１３】
フィンチューブ熱交換器を備えた空気調和機において、前記空気調和機は天井埋込型の空気調和機であり、且つ前記フィンチューブ熱交換器は請求項１に記載のフィンチューブ熱交換器であることを特徴とするフィンチューブ熱交換器を備えた空気調和機。
【請求項１４】
フィンチューブ熱交換器を備えた空気調和機において、前記空気調和装置は天井吊り型または床置き型の空気調和機であり、且つ前記フィンチューブ熱交換器は請求項１１に記載のフィンチューブ熱交換器であることを特徴とするフィンチューブ熱交換器を備えた空気調和機。
【請求項１５】
請求項１３に記載のフィンチューブ熱交換器を備えた空気調和機において、前記天井埋込型の空気調和機には冷媒を必要量流すための冷媒可変減圧機構を備えていることを特徴とするフィンチューブ熱交換器を備えた空気調和機。
【請求項１６】
請求項１５に記載のフィンチューブ熱交換器を備えた空気調和機において、前記空気調和機は、単一の冷凍サイクルに対して室内機が複数台接続された多室型の空気調和機であり、前記複数台の室内機のうちの少なくとも一部が天井埋込型の空気調和機（室内機）であることを特徴とするフィンチューブ熱交換器を備えた空気調和機。
【請求項１７】
請求項１４に記載のフィンチューブ熱交換器を備えた空気調和機において、前記空気調和機は冷媒を必要量流すための冷媒可変減圧機構を備えており、且つ前記空気調和機は単一の冷凍サイクルに対して室内機が複数台接続された多室型の空気調和機であって、前記複数台の室内機のうちの少なくとも一部が天井吊り型または床置き型の空気調和機（室内機）であることを特徴とするフィンチューブ熱交換器を備えた空気調和機。
【発明の詳細な説明】
【技術分野】
【０００１】
本発明はフィンチューブ熱交換器及びこれを備えた空気調和機に係り、特に空気調和機の室内機の熱交換器として好適なものである。
【背景技術】
【０００２】
従来のフィンチューブ熱交換器は、互いに平行に一定間隔をあけて配置された複数枚の板状フィンと、該板状フィンを法線方向に貫通し蛇行する伝熱管などから構成され、板状フィンの間を流れる空気と伝熱管の内部を流れる冷媒との間で熱交換が為されるものである。
【０００３】
近年、地球温暖化防止の観点から空気調和機への消費エネルギー低減が強く求められると共に、空気調和機を製造する時の消費エネルギー低減、使用する材料資源の削減などにも関心が高まっている。
【０００４】
そのような中、フィンチューブ熱交換器においては、特許文献１に示すように、伝熱管の細径化や、フィンのスリット形状適正化によってコンパクト性を確保しながらも消費エネルギーを削減可能な高効率な熱交換器が提案されている。
【０００５】
また、従来のフィンチューブ型熱交換器としては、特許文献２に示すように、フィンに設けたスリット高さをフィン中心線から前後（上流側及び下流側）に離れるほど低くするものや、フィンに設けたスリット高さをフィン中心線から下流側になるほど高くするものが提案されている。
【先行技術文献】
【特許文献】
【０００６】
【特許文献１】特開２００９−１９８０５５号公報
【特許文献２】特開平１０−２０６０８５号公報
【発明の概要】
【発明が解決しようとする課題】
【０００７】
上記特許文献１のものでは、伝熱管の径、段ピッチ、列ピッチ、スリットの切起し高さなどについて提案されているが、フィンチューブ熱交換器の製造時や組立時における寸法誤差については配慮されていない。このため、所定の寸法通りに製品を製作できた場合については所定の性能が確保できたとしても、実際には、フィンの製造装置である金型の経年劣化や、フィンチューブ熱交換器の曲げ加工時、運搬時、組立時などに外力を受けての変形などにより、僅かなフィン形状の変形は避けられない。最近、特許文献１に示されているように、フィンチューブ熱交換器の高効率化のため、その伝熱管径が４〜６ｍｍ程度に細径化（小径化）される傾向にあり、これに伴いフィンピッチ、段ピッチ、列ピッチ等も縮小化されて高密度化されると、前記フィン形状の変形による性能低下は避けられず、このため空気調和機の消費エネルギー低減効果を十分に発揮することは困難になる。また、伝熱管外径、列ピッチ、段ピッチ、フィンピッチなどの諸元が小形化、高密度化された場合、フィンそのものの剛性が低下するから、寸法誤差を生じないように熱交換器を製造することは困難か、或いは作業性を著しく悪化させる。
【０００８】
また、伝熱管径が細径化され、フィンピッチ、段ピッチ、列ピッチ等が縮小化された高密度の熱交換器では、フィンにスリットを設けた場合でも、空気流の上流側に設けられたスリットで生じた温度境界層が、その下流側に位置するスリットの温度境界層に干渉を生じやすく、スリット切り起こしによる前縁効果での伝熱促進効果を発揮し難くなる。更に、前記各ピッチを縮小化したフィンチューブ熱交換器にすると、スリット切り起こしによる通風抵抗も増大し易くなる。
【０００９】
更に、特許文献１に記載のフィンチューブ熱交換器は、段ピッチ側の寸法（上下方向寸法）が小さい天井埋め込み型空気調和機には採用できても、段ピッチ側に長尺の寸法が必要となる、例えば床置き型の空気調和機などにおいては、熱交換器としての剛性が不足して製品強度が不足することについても配慮されていない。
【００１０】
特許文献２に記載のものでは、フィンに設けたスリット高さを、フィン中心線から前後に離れるほど低くしたり、或いは中心線から下流側になるほどスリット高さを高くして、スリット部に生じる温度境界層の影響を防止して熱伝達を促進するものが記載されているが、フィンチューブ熱交換器の製造時や組立時における寸法誤差、特に伝熱管外径、列ピッチ、段ピッチ、フィンピッチなどの諸元が小形化、高密度化された場合の寸法誤差についての配慮は為されていない。
【００１１】
また、特許文献２のものでは流動される気流を前記スリットにより乱流化及び混合して伝熱管後流に生じる死水域を減少させるようにしているが、フィンの列方向の中心線に対して対称形状ではないため、長尺のフィン成形時にフィンの曲がりなど変形が生じやすく、生産性向上に課題がある。なお、フィンの列方向の中心線に対して対称形状にしたものも記載されているが、伝熱管後流側（下流側）のスリットはその高さが低いものとなっているため、気流を伝熱管後流側に導いて死水域を減少させる効果が小さくなってしまうことに対する配慮は為されていない。
【００１２】
本発明の目的は、伝熱管が小径化され、フィンが小形化、高密度化された場合でも、フィン形状の変形による性能低下を抑制することができるフィンチューブ熱交換器及びこれを備えた空気調和機を得ることにある。
【課題を解決するための手段】
【００１３】
上記の目的を達成するため、本発明は、気体が通過可能に互いに所定の間隔をあけて積層して配置された複数枚の板状フィンと、該板状フィンを貫通すると共に蛇行するように構成され、内部を冷媒が通過する伝熱管とを備えたフィンチューブ熱交換器において、前記板状フィンには、複数枚の前記板状フィンを積層した方向に切り起された複数のスリット部を備え、前記複数のスリット部は、該板状フィンの一方の面側に突出する第１スリット群と、前記板状フィンの他方の面側に突出する第２スリット群とを備え、前記第１スリット群及び第２スリット群の中のスリット部のうち、気体の流れに対して最上流に位置する第１スリット群のスリット部の前記板状フィンからの突出高さ（Ｈｓ１）と、前記第１スリット群及び第２スリット群の中のスリット部のうち、気体の流れに対して２番目に位置する第２スリット群のスリット部の前記板状フィンからの突出高さ（Ｈｓ２）との関係が、
１．２≦Ｈｓ１／Ｈｓ２≦１．６
となるように構成していることを特徴とする。
【００１４】
また、本発明の他の特徴は、上記構成のフィンチューブ熱交換器を、天井埋込型、天井吊り型または床置き型の空気調和機（室内機）の少なくとも何れかに搭載しているフィンチューブ熱交換器を備えた空気調和機にある。
【発明の効果】
【００１５】
本発明によれば、伝熱管が小径化され、フィンが小形化、高密度化された場合でも、フィン形状の変形による性能低下を抑制することができるフィンチューブ熱交換器及びこれを備えた空気調和機を得ることができる。
【図面の簡単な説明】
【００１６】
【図１】本発明のフィンチューブ熱交換器の実施例１を説明する正面図。
【図２】図１に示す熱交換器を側面側から見た要部拡大図。
【図３】図１に示すスリット部の拡大断面図で、（ａ）は図１のＡ−Ａ断面図、（ｂ）は図１のＢ−Ｂ断面図、（ｃ）は図１のＨ−Ｈ断面図。
【図４】図１に示す伝熱管の外径Ｄによる性能への影響を説明する線図。
【図５】図１に示すフィンの列ピッチＰＬによる性能への影響を説明する線図。
【図６】図１に示すフィンの段ピッチＰｔによる性能への影響を説明する線図。
【図７】図２に示すフィンピッチＰｆによる性能への影響を説明する線図。
【図８】図１に示すフィンのスリット幅Ｗｓによる性能への影響を説明する線図。
【図９】本発明の実施例１のスリット配置における前縁効果を説明する図で、（ａ）は従来のスリット配置での温度分布の解析結果を示す図、（ｂ）は実施例１のスリット配置での温度分布の解析結果を示す図。
【図１０】本発明の実施例１のスリット配置における死水域低減効果を説明する図で、（ａ）は従来のスリット配置での気流解析結果を示す図、（ｂ）は実施例１のスリット配置での気流解析結果を示す図、（ｃ）は（ｂ）図の斜視図。
【図１１】図１に示すフィンチューブ熱交換器を備えた天井埋込型の空気調和機を示す縦断面図。
【図１２】図１１に示す天井埋込型空気調和機を下方側から見た底面図。
【図１３】本発明のフィンチューブ熱交換器の実施例２を説明する要部拡大正面図。
【図１４】図１３のＨ−Ｈ断面図。
【図１５】本発明のフィンチューブ熱交換器の実施例３を説明する要部拡大正面図。
【図１６】図１５のＨ−Ｈ断面図。
【図１７】図１５及び図１６に示すフィンチューブ熱交換器を備えた床置き型の空気調和機を示す縦断面図。
【図１８】図１５及び図１６に示すフィンチューブ熱交換器を備えた天井吊り型の空気調和機を示す縦断面図。
【図１９】本発明のフィンチューブ熱交換器の実施例４を示す図で、図３（ｃ）に相当する図。
【図２０】実施例４のスリット配置における前縁効果を説明する図で、（ａ）は中心スリット３ｄを立ち上げたスリット配置での温度分布の解析結果を示す図、（ｂ）は実施例４のスリット配置での温度分布の解析結果を示す図。
【図２１】実施例４のスリット配置における通風抵抗を説明する図で、（ａ）は中心スリット３ｄを立ち上げたスリット配置での気流解析結果を示す図、（ｂ）は実施例４のスリット配置での気流解析結果を示す図。
【図２２】本発明のフィンチューブ熱交換器を備えた空気調和機を多室型空気調和機に適用した場合の例を示す冷凍サイクル構成図。
【発明を実施するための形態】
【００１７】
以下、本発明の実施例を図面を用いて説明する。
【実施例１】
【００１８】
本発明の実施例１を図１〜図１２を用いて説明する。  
図１は本発明のフィンチューブ熱交換器の実施例１を説明する正面図、図２は図１に示す熱交換器を側面側（空気の流入側）から見た要部拡大図、図３は図１に示すスリット部の拡大断面図で、（ａ）は図１のＡ−Ａ断面図、（ｂ）は図１のＢ−Ｂ断面図、（ｃ）は図１のＨ−Ｈ断面図である。
【００１９】
図１、図２において、フィンチューブ熱交換器１００は、互いに所定の間隔をあけて設けられ空気（気体）が通過する複数枚の板状フィン１と、該板状フィン１を貫通するように垂直に挿入され、蛇行して形成された伝熱管２とを備えており、前記板状フィン１の面上には該板状フィンの積層方向（前記空気の通過方向に略直角な方向）にスリット部３（３ａ〜３ｇ）が切り起されている。
【００２０】
前記伝熱管２は、図２に示すように、複数の直管部２ｓと、該直管部２ｓの端部同士を接続している曲管部２ｒから形成されている。また、図１に示すように、この実施例では、前記伝熱管２は空気流れ方向（列方向）に３列配置されている。更に、前記伝熱管２の前記直管部２ｓの一部である各直管部２１ａ，２１ｂ，２１ｃ…（１列目の伝熱管２１）は図１に示すように、空気流れに対して直角の方向（段方向）に配列され、同様に直管部２ｓの一部である各直管部２２ａ，２２ｂ…（２列目の伝熱管２２）及び各直管部２３ａ，２３ｂ…（３列目の伝熱管２３）もそれぞれ段方向に配置されている。
【００２１】
各直管部２１ａ，２１ｂ…、２２ａ，２２ｂ…、及び２３ａ，２３ｂ…は、互いに平行で千鳥状に配置されている。本実施例では、前記伝熱管２の外径Ｄは、
４ｍｍ≦Ｄ≦６ｍｍ
の細径管を使用しており、また、前記各直管部の軸心同士の列方向の間隔である列ピッチＰＬ、及び段方向の間隔である段ピッチＰｔは次の範囲となるように構成されている。
【００２２】
８ｍｍ≦ＰＬ≦１０ｍｍ
１２ｍｍ≦Ｐｔ＜１４ｍｍ
例えば、前記伝熱管２の外径Ｄを５ｍｍ、列ピッチＰＬを９．４ｍｍ、段ピッチＰｔを１３．８９ｍｍに構成すると良い。
【００２３】
図４〜図６により、前述した伝熱管外径Ｄ、段ピッチＰＬ及び段ピッチＰｔの性能への影響について説明する。これらの図により説明する性能評価は、フィンチューブ熱交換器を空気調和機（天井埋め込み型室内機）として使用した際のＡＰＦ（期間消費効率）で評価したものである。
【００２４】
図４は伝熱管の外径Ｄによる性能への影響を調査した結果を説明する線図である。図４から判るように、伝熱管外径Ｄを小さくすることにより、フィンチューブ熱交換器の高さ（室内機の高さ）が同じ大きさであれば、伝熱管の段数や列数を増加させることが可能となり、伝熱管外径に応じて相似的に諸元を小さくして高密度化を図れるからフィン効率を向上できる。また、伝熱管外径Ｄを小さくすることにより伝熱管の後流側に発生する死水域も低減できるので、熱伝達率の向上及び圧力損失の低減も図れる。従って、伝熱管外径が５ｍｍ以上の場合、伝熱管外径を小さくするほどＡＰＦ性能が向上している。反面、伝熱管外径を５ｍｍより小さくしていくと、伝熱管内を流れる冷媒の圧力損失が増加するため、この冷媒側圧力損失を同等に抑えるためには冷媒通路数（パス数）を増加させる必要がある。冷媒通路数を増加させると段ピッチＰｔが小さくなるからその分伝熱管２とスリット部３との間に確保すべき座面（平板部）１ａ（図１参照）の占有面積割合が増加し、相対的にスリット部３の占有面積率が低下する。更に、冷媒通路数の増加により冷媒分配も悪化し易い。このため、伝熱管外径を５ｍｍより小さくしていくほどＡＰＦ性能は低下していく。従って、伝熱管外径Ｄに対してのＡＰＦ性能のピーク値が現れ、この性能ピーク値に対して、ＡＰＦの性能低下が３％以内にとどめられる範囲は、図４から伝熱管外径Ｄが『４ｍｍ≦Ｄ≦６ｍｍ』であり、伝熱管外径Ｄはこの範囲に設定すると良い。
【００２５】
図５は、フィンの列ピッチＰＬによる性能への影響を説明する線図である。列ピッチＰＬが約９ｍｍ以下の範囲では、列ピッチＰＬが大きいほど伝熱面積が増大するので熱交換性能は向上し、また列間の伝熱管３の間の距離も大きくなるので通風抵抗も小さくなり、ＡＰＦ性能は向上していく。一方、列ピッチＰＬが約９ｍｍを超えると、列ピッチＰＬが大きくなるほど、列方向の長さが増大して空気が流れる通路の長さが増大すると共に、室内機筐体と熱交換器との間の通路も狭くなるから、通風抵抗（空気側圧力損失）が増大する。また、伝熱管２から離れて存在するスリット部３が多くなりフィン効率も低下することから、ＡＰＦ性能は低下していく。ＡＰＦ性能では、圧縮機能力が小さくなる領域での運転時間が多く、ファン動力の増大はＡＰＦ性能に大きく影響する。従って、列ピッチＰＬに対してのＡＰＦ性能のピーク値が現れ、この性能ピーク値に対して、ＡＰＦの性能低下が３％以内にとどめられる範囲は、図５から列ピッチＰＬが『８ｍｍ≦ＰＬ≦１０ｍｍ』であり、列ピッチＰＬはこの範囲に設定すると良い。
【００２６】
図６は、フィンの段ピッチＰｔによる性能への影響を説明する線図である。段ピッチＰｔの性能影響を図６に示す。段ピッチＰｔが１３ｍｍより大きい範囲では、段ピッチＰｔを大きくしていくと、段ピッチ方向の伝熱管２の数が少なくなる。ＡＰＦ性能では、圧縮機能力が小さくなる領域での運転時間が多く、冷媒流量が少ない運転時間が多くなる。冷媒流量が少ないと伝熱管内の冷媒の流れが乱流とならず、冷媒は伝熱管内の下部を流れてしまうので、スリット部に伝達される熱量が減少する。従って、伝熱管の段ピッチＰｔを小さくして段ピッチ方向の伝熱管数を多くするほど、伝熱管の内面積を増加でき、熱伝達率の向上とフィン効率の向上を図れるから、伝熱性能は向上する。また、段ピッチＰｔが１３ｍｍより小さい範囲では、段ピッチＰｔを小さくするほど伝熱管２間の通風抵抗が増大すること、段ピッチＰｔが小さくなるとその分伝熱管２とスリット部３との間に確保すべき座面１ａ（図１参照）の占有面積割合も増加し、相対的にスリット部３の占有面積率が低下すること、及び伝熱管後流側に発生する空気のよどみ（死水域）の面積も増加することから、ＡＰＦ性能は低下する。従って、段ピッチＰｔに対してのＡＰＦ性能のピーク値が現れ、この性能ピーク値に対して、ＡＰＦの性能低下が３％以内にとどめられる範囲は、図６から段ピッチＰｔが『１２ｍｍ≦Ｐｔ＜１４ｍｍ』であり、段ピッチＰｔはこの
範囲に設定すると良い。
【００２７】
図１、図２に示した板状フィン１は矩形の部材であり、この板状フィン１には伝熱管２の直管部２ｓが貫通する貫通孔が千鳥状に複数形成されている。また、例えば、直管部２１ａと直管部２１ｂとの間には、板状フィン１の一方の面側に突出する第１スリット群（スリット部３ａ，３ｃ，３ｅ，３ｇ）と、他方の面側に突出する第２スリット群（スリット部３ｂ，３ｄ，３ｆ）とが、それぞれ形成されている（図３参照）。
【００２８】
前記第１スリット群の各スリット部３ａ，３ｃ，３ｅ，３ｇは、図３の（ａ）図に示すように、板状フィン１を一方の面側に切り起こしたものであって、各スリット部はそれぞれ平面部３２ａ，３２ｃ，３２ｅ，３２ｇと、これを支える一方の斜面部３１ａ，３１ｃ，３１ｅ，３１ｇ及び他方の斜面部３３ａ，３３ｃ，３３ｅ，３３ｇから構成されている。なお、（ａ）図ではスリット部３ａのみ示しているが、他のスリット部３ｃ，３ｅ，３ｇも同様に構成されている。
【００２９】
前記第２スリット群の各スリット部３ｂ，３ｄ，３ｆは、図３の（ｂ）図に示すように、板状フィン１を他方の面側に切り起こしたものであって、各スリット部はそれぞれ平面部３２ｂ，３２ｄ，３２ｆと、これを支える一方の斜面部３１ｂ，３１ｄ，３１ｆ及び他方の斜面部３３ｂ，３３ｄ，３３ｆから構成されている。なお、（ｂ）図でもスリット部３ｂのみ示しているが、他のスリット部３ｄ，３ｆも同様に構成されている。
【００３０】
図３の（ｃ）図は、図１のＨ−Ｈ断面図で、前記第１スリット群（スリット部３ａ，３ｃ，３ｅ，３ｇ）及び第２スリット群（スリット部３ｂ，３ｄ，３ｆ）の構成を示している。図において、Ｈｓ１は、第１及び第２のスリット群の中で空気流れに対して最前列に位置するスリット部３ａの前記板状フィン１からの突出高さ（（ａ）図参照）、Ｈｓ２は、第１及び第２のスリット群の中で空気流れに対して２番目に位置するスリット部３ｂの前記板状フィン１からの突出高さ（（ｂ）図参照）で、これらの突出高さＨｓ１，Ｈｓ２の関係は、最前列に位置するスリット部３ａの前記板状フィン１からの突出高さＨｓ１が、２番目に位置するスリット部３ｂの前記板状フィン１からの突出高さＨｓ２よりも大きくなるように、即ち
Ｈｓ１＞Ｈｓ２
となるように構成されている。前記突出高さの比（Ｈｓ１／Ｈｓ２）は、好ましくは、
１．２≦Ｈｓ１／Ｈｓ２≦１．６
となるように構成すると良い。
【００３１】
このように構成することにより、板状フィン１の直後に配置されているスリット３ａは板状フィン１との間隔が大きくなり、温度境界層の影響を最小限に抑えることが可能となる。また、スリット部の形状誤差が発生した際においても、熱交換器性能の低下を最小限に抑えることが可能となる。即ち、フィンチューブ熱交換器の製造時に曲げ加工などによりフィン形状が変形した場合でも、スリット３ａは板状フィン１との間隔を大きく構成されているため、スリット部３ａが僅かに変形しても、板状フィン１との間隔の変化の割合は僅かに抑えられる。このため、熱交換器の性能低下も最小限に抑制できるものである。
【００３２】
本実施例における上述したスリット配置により、温度境界層の影響を最小限に抑えることが可能となる理由を図９により説明する。図９（ａ）（ｂ）はそれぞれ図１のＨ−Ｈ断面に相当する図で、従来と本実施例でのスリット配置における前縁効果を説明する図である。即ち、（ａ）は従来のスリット配置での温度分布の解析結果（熱交換器の伝熱性能を説明する熱流体解析結果）を示す図、（ｂ）は本実施例のスリット配置での温度分布の解析結果（熱交換器の伝熱性能を説明する熱流体解析結果）を示す図である。
【００３３】
（ａ）で示す従来のスリット配置では、気体の流れに対して最上流に位置するスリット部３ａの板状フィン１からの突出高さ（切り起し高さ）Ｈｓ１と、気体の流れに対して２番目に位置するスリット部３ｂの板状フィン１からの突出高さＨｓ２が等しくなっている。このスリット配置の場合、スリット部３ａの上流側において、前方のフィンで熱交換されて温度上昇した部分（いわゆる温度境界層）が、スリット部３ａで温度上昇した部分（温度境界層）に干渉していることが確認できる。
【００３４】
一方、（ｂ）で示す本実施例のスリット配置では、気体の流れに対して最上流に位置するスリット部３ａの板状フィン１からの突出高さＨｓ１と、気体の流れに対して２番目に位置するスリット部３ｂの板状フィン１からの突出高さＨｓ２とは、「Ｈｓ１＞Ｈｓ２」の関係となっている。なお、この（ｂ）図の例では、「Ｈｓ１／Ｈｓ２＝１．３」とした場合を例として示している。
【００３５】
（ｂ）図に示すように、本実施例のスリット配置とした場合、前記最上流に位置するスリット部３ａの上流側において、前方のフィンで熱交換されて温度上昇した部分（温度境界層）が、スリット部３ａで温度上昇した部分（温度境界層）とは離れており、それらは干渉していない。これにより、前方のフィンで温度上昇のしていない新鮮な空気が最上流のスリット部３ａに当たり易く（接触し易く）なり、更に下流側のスリット部３ｂ，３ｃ，…にも新鮮な空気が当たり易くなって前縁効果が向上し、熱交換器の熱交換量を増加できる。
【００３６】
図１０は、フィンチューブ熱交換器における通風抵抗を説明する気流解析結果を示す図で、伝熱管２とその周辺の部分を正面側から見た図である。この図１０により、本実施例のスリット配置における死水域低減効果を説明する。図１０の（ａ）は、図９（ａ）と同じ従来のスリット配置（Ｈｓ１＝Ｈｓ２）での気流解析結果を示す図、（ｂ）は図９（ｂ）と同じ本実施例のスリット配置（Ｈｓ１／Ｈｓ２＝１．３）での気流解析結果を示す図、（ｃ）は（ｂ）図の斜視図である。
【００３７】
図１０の（ａ）図と（ｂ）図を比較すると、（ａ）図に示す従来の気流分布に比べて、（ｂ）図に示す本実施例の気流分布では、伝熱管２の後流側に生じる速度が遅い部分（死水域）が減少していることがわかる。  
本実施例における前記死水域低減効果を図１０の（ｃ）に示す斜視図によりわかり易く説明する。本実施例では、スリット部３ａ，３ｃ，３ｅ，３ｇを立上げている各斜面部３１ａ，３１ｃ，３１ｅ，３１ｇの高さ（Ｈｓ１）が、（ａ）図に示す従来のものより大きく形成されている。従って、これらの斜面部のうち、後流側の前記斜面部３１ｅ，３１ｇは、上流側からの気流を伝熱管２の後方側に誘導する働きが従来のものより大きくなる。この働きによって、伝熱管２の後流側に生じる死水域（速度の遅い部分；よどみ）を減少させる効果が得られ、この死水域の低減効果により通風抵抗も低減できるから、熱伝達効率の向上も図れる。
【００３８】
従って、本実施例によれば、伝熱管を細径化し、段ピッチ、列ピッチ、フィンピッチ等を縮小化して高密度で高効率な熱交換器を得ることができると共に、寸法誤差による性能のバラツキを最小限に抑えることもできるフィンチューブ熱交換器を得ることができる。
【００３９】
図７は図２に示すフィンピッチＰｆによる性能への影響を説明する線図である。フィンピッチＰｆが１．２５ｍｍより大きい範囲では、フィンピッチＰｆを小さくするほどフィン枚数を増加してフィンの伝熱面積を増加でき、また代表寸法（熱交換器の外径寸法）も小さくできるから、熱伝達率の向上によりＡＰＦ性能が向上する。一方、フィンピッチＰｆを１．２５ｍｍより小さくしていくと、通風抵抗が増大して空気側圧力損失が大きくなること、及び温度境界層の影響も大きくなるため、ＡＰＦ性能が低下していく。性能のピークから３％以内の性能低下に抑えるためには、フィンピッチＰｆを
１．０ｍｍ≦Ｐｆ≦１．５ｍｍ
の範囲に設定することが好ましい。  
なお、図２において、Ｔｆはフィンチューブ熱交換器１の厚さであり、通常０．１ｍｍ程度のものが使用される。
【００４０】
図８は図１及び図３（ｃ）に示す板状フィン１における各スリット部の幅（スリット幅）Ｗｓによる性能への影響を説明する線図である。前記スリット幅Ｗｓが１．１ｍｍよりも大きい範囲では、スリット幅Ｗｓを小さくするほどスリット部３の数を多くできることにより熱伝達率を増加でき、ＡＰＦ性能を向上できる。即ち、スリット幅Ｗｓを小さくするほどスリット部３の前縁部での温度境界層の更新による伝熱促進効果（前縁効果）が増加するため、熱伝達率が増加する。反面、前記スリット幅Ｗｓが１．１ｍｍよりも小さい範囲では、スリット幅Ｗｓを小さくするほど空気の流れが乱流になり易く通風抵抗（空気側圧力損失）が増大すること、また上流側スリット部の温度境界層の影響が下流側のスリット部に出てくるためフィン効率が低下することのため、ＡＰＦ性能は低下していく。性能のピークから３％以内の性能低下に抑えるためには、スリット幅を
０．８ｍｍ≦Ｗｓ≦１．４ｍｍ
の範囲に設定することが好ましい。
【００４１】
図１１は図１に示すフィンチューブ熱交換器を搭載した状態の天井埋込型の空気調和機（室内機）を示す縦断面図、図１２は図１１に示す天井埋込型空気調和機を下方側から見た底面図である。
【００４２】
図において、５０は天井埋込型空気調和機（室内機）、５１は天井７０に埋め込まれて設置された筐体で、この筐体５１の内部には図１に示すフィンチューブ熱交換器１００が送風機５２の周囲を取り巻くように設置されている。前記送風機５２は電動機５３により回転され、送風機５２の回転により室内空気は、図１１に示す矢印のように、吸込フィルタ５４から吸い込まれ、送風機５２を通過し、該送風機の周囲に配置された熱交換器１００を通過して、風向ガイド５５により任意の方向に曲げられ吹き出される。なお、図１１において、５６は前記熱交換器１００の下部に設けられたドレンパンである。
【００４３】
空気調和機５０は、吸い込んだ室内空気を前記熱交換器１００で所定の温度に調整し、室内に吹き出すことにより、空調作用を行う。  
天井埋込型空気調和機では、送風機５２と熱交換器１００との間、及び熱交換器１００と筐体５１との間隔は狭く、コンパクト性を維持しながら高効率化を実現する必要がある。図１に示した本実施例のフィンチューブ熱交換器１００は熱交換器を高密度化して小形化できるので、天井埋込型空気調和機への適用効果は大である。
【００４４】
また、図１２に示すように、天井埋込型空気調和機に設置されるフィンチューブ熱交換器１００は、送風機５２を取り巻く形に配置されるため、熱交換器１００は複数箇所で曲げ加工がなされている。このため、曲げ加工時に僅かなフィン形状の変形が生じ易い。特に各フィンの最上流側のスリット部３ａは曲げ加工時にダイスなどに接して外力を受け易く、変形し易いが、本実施例では最上流のスリット部３ａの突出高さＨｓ１が大きくなるように構成しているので、スリット部３ａが外力を受けて変形しても、フィン変形による性能劣化を最小限に抑えることができる。従って、本実施例のフィンチューブ熱交換器を備えた空気調和機とすることにより、空気調和機のＡＰＦ性能を向上できる。
【実施例２】
【００４５】
図１３及び図１４により本発明の実施例２のフィンチューブ熱交換器を説明する。図１３はフィンチューブ熱交換器の要部拡大正面図、図１４は図１３のＨ−Ｈ断面図である。これらの図において図１〜図３と同一符号を付した部分は同一または相当する部分を示している。
【００４６】
フィンチューブ熱交換器１００（図１参照）は、互いに所定の間隔を空けられて空気が通過する複数枚の板状フィン１と、該板状フィン１に垂直に挿入され且つ蛇行するように設けられた伝熱管２を有し、前記板状フィン１にはスリット部３（３ａ〜３ｇ）が切り起されている。図１４に示すように、板状フィン１の一方面側には第１スリット群（スリット部３ａ、３ｃ、３ｅ、３ｇ）が、板状フィン１の他方の面側には第２スリット群（スリット部３ｂ、３ｄ、３ｆ）が形成されている。
【００４７】
本実施例においても、実施例１と同様に、最も上流側のスリット部３ａの突出高さＨｓ１（Ｈｓａ）は上流側から２番目のスリット部３ｂの突出高さＨｓ２（Ｈｓｂ）よりも高くなっており、好ましくは『１．２≦Ｈｓ１／Ｈｓ２≦１．６』とする。更に、本実施例では、前記第１スリット群も第２スリット群も、各スリット部の板状フィン１からの突出高さが、フィンの列方向中心線ｃから外側に位置するスリット部ほど高くなるように構成されている。即ち、第１スリット群においては中心側のスリット部３ｃ，３ｅの突出高さＨｓｃ，Ｈｓｅよりも外側のスリット部３ａ，３ｇの突出高さＨｓａ，Ｈｓｇを高くし、第２スリット群も同様に、中央のスリット３ｄの突出高さＨｓｄよりも外側のスリット部３ｂ，３ｆの突出高さＨｓｂ，Ｈｓｆが高くなるように構成されている。また、各スリット部の高さはフィンの列方向中心線ｃに対して左右対称になるように構成されており、フィンを裏返しに使用することも可能にしている。
【００４８】
また、本実施例では、各スリット部３ａ〜３ｇの立ち上がり傾斜部３１ａ〜３１ｇ（図１３では立ち上がり傾斜部３１ｆ，３１ｇのみ符号で表示）の立ち上がり位置を伝熱管２の同心円状に配置するように構成している。
【００４９】
このように構成することにより、後流側のスリット部３ｆ，３ｇの立ち上がり傾斜部３１ｆ，３１ｇが空気の誘導壁となる為、伝熱管２の後流側に発生する死水域（空気が渦となってよどみが生じている部分）を板状フィンの裏表の両側で効率良く低減でき、この結果通風抵抗をより低減でき、熱伝達率もより向上することができるから、熱交換器性能を向上できる。
【実施例３】
【００５０】
図１５及び図１６により本発明の実施例３のフィンチューブ熱交換器を説明し、またこの実施例３のフィンチューブ熱交換器の適用例を図１７、図１８により説明する。
【００５１】
図１５はフィンチューブ熱交換器の要部拡大正面図、図１６は図１５のＨ−Ｈ断面図である。
【００５２】
図１５及び図１６に示す実施例は、図１〜図３で説明した実施例１のフィンチューブ熱交換器に対して、板状フィン１の列方向の端部近傍に山形形状のリブ４ａ，４ｂを設けたものである。前記リブ４ａ，４ｂはそれぞれ板状フィン１の段方向に連続して形成されており、伝熱管の小径化、フィンの高密度化により高効率化され且つ段方向に長く構成した板状フィン１の曲げ剛性を向上することができる。これにより、熱交換器製造時のねじれや曲がりなどのフィン変形を防止でき、生産効率や品質向上を図れると共に、床置き型や天井吊り型などの形態の異なる空気調和機にも広く適用可能となる。他の構成は図１〜図３に示したものと同様の構成となっており、図１〜図３に示したものと同様の効果も得られるものである。
【００５３】
前述した図１１、図１２に示した天井埋込型空気調和機においては、設置される天井裏の懐高さの制限により、製品の高さはあまり大きくできない。従って、これに組み込まれるフィンチューブ熱交換器の段方向高さは、例えば２５０ｍｍ程度と比較的小さく、このため、板状フィン１製造時のフィン長手方向変形は生じにくい。しかし、図１７に示されるような床置き型の空気調和機など製品高さが比較的大きい製品において、フィンチューブ熱交換器１００を搭載する場合、熱交換器の段方向の高さが例えば８４０ｍｍ程度と大きくなり、板状フィン製造時の長手方向変形が生じ易くなる。これに対し、図１５及び図１６に示した板状フィン１を備えたフィンチューブ熱交換器を採用することにより、熱交換器の剛性向上を図れるから、床置き型の空気調和機の品質向上と生産効率を向上できる効果が得られる。
【００５４】
なお、図１７において、図１１と同一符号を付した部分は同一または相当する部分を示し、同様の機能を備えるものであるから、説明は省略する。また、この実施例においても、空気調和機の組立時などにフィン最上流側のスリット部３ａが変形しても、フィン変形による性能劣化を最小限に抑えることができる。
【００５５】
図１８は、図１５及び図１６に示すフィンチューブ熱交換器を搭載した天井吊り型の空気調和機を示す縦断面図である。この天井吊型の空気調和機は、天井面から露出するデザインであり、圧迫感を押さえる配慮からその製品高さを小さくすることが求められており、熱交換器の面積を確保する為には、熱交換器１００は鉛直方向に対する傾き角度θを比較的大きくすることが必要となる。
【００５６】
また、図１１及び図１２で示された天井埋込型空気調和機のように、伝熱管２の長手方向には曲げを設けない形状の為、熱交換器１００は平面形状となる。そのため、熱交換器１００の剛性確保が難しい。図１５及び図１６に示した実施例３のフィンチューブ熱交換器では、伝熱管２を細径化し、列ピッチＰＬを縮小化した場合においても、熱交換器１００の剛性を確保することが容易であり、この熱交換器を図１６に示す天井吊型空気調和機に採用することにより、高効率化と製品信頼性を両立させた空気調和機を得ることが可能となる。
【００５７】
なお、図１８において、図１１と同一符号を付した部分は同一または相当する部分を示しており、同様の機能を備えるものであるから、説明は省略する。また、この実施例においても、空気調和機の組立時などにフィン最上流側のスリット部３ａが変形しても、フィン変形による性能劣化を最小限に抑えることができる。
【００５８】
このように実施例３に示したフィンチューブ熱交換器を用いることにより、様々な形態の空気調和機への適用が可能となり、空気調和機の高効率化を一層進めることが可能となる。
【実施例４】
【００５９】
図１９〜図２１により、本発明のフィンチューブ熱交換器の実施例４を説明する。これらの図において、図１〜図３と同一符号を付した部分は同一或いは相当する部分を示している。  
図１９は本発明のフィンチューブ熱交換器の実施例４を示す図で、図３（ｃ）に相当する図（図１のＨ−Ｈ断面に相当する図）である。
【００６０】
本実施例では図１９に示すように、図３（ｃ）に示した前記実施例１におけるスリット配置に対して、列方向（空気の流れ方向）の中心に位置するスリット部（中心スリット部）３ｄを立ち上げず、板状フィン１の基板面と同一高さとしたものである。他の構成は図３（ｃ）に示した実施例１と同様である。
【００６１】
図２０は図１９に示した実施例４のスリット配置における各スリット部での前縁効果を説明する図で、（ａ）は中心スリット部３ｄを立ち上げたスリット配置での温度分布の解析結果を示す図、（ｂ）は実施例４のスリット配置での温度分布の解析結果を示す図である。
【００６２】
図２０の（ａ）図に示すように、中心スリット部３ｄを立ち上げた場合、その上流側のスリット部３ｂ及び下流側のスリット部３ｆの双方と温度境界層の干渉が生じ易い。これに対して、（ｂ）図に示すように、中心スリット部３ｄを立ち上げない場合（即ち、立ち上げ高さをゼロとして立ち上げ無しとした場合）、この中心スリット部３ｄは、その上流側のスリット部３ｂと下流側のスリット部３ｆの双方とずれた位置に配置されることになるため、上流・下流のスリット部３ｂ，３ｆの温度境界層とは干渉が少なくなり、実施例１のものに比べ、伝熱性能を更に向上させることができる。
【００６３】
図２１は実施例４のスリット配置における通風抵抗を説明する図で、（ａ）は中心スリット３ｄを立ち上げたスリット配置での気流解析結果を示す図、（ｂ）は実施例４のスリット配置での気流解析結果を示す図である。
【００６４】
図２１の（ａ）図に示すように、中心スリット３ｄを立ち上げたスリット配置の場合、気流は、スリット間を小さな蛇行を繰り返して速い速度で通過し、この速い流れは各スリット部の前縁と十分に接触することなく流れてしまう。  
これに対して、図２１の（ｂ）図に示す本実施例の場合（中心スリット３ｄを立ち上げない場合）のスリット配置では、気流が大きく蛇行して流れる。これにより、（ａ）のスリット配置に比べて（ｂ）のスリット配置の方が、通風抵抗は若干増大するものの、気流を通過させる通路が全体的に確保されているため、全体的に流速が増加して流速の特に速い部分は少なくなる。また、熱交換が進んでいないより新鮮な空気が各スリット部に接触し易くなる。これらの理由により、本実施例では、通風抵抗増大の割合以上に、伝熱性能の向上を図ることができ、高性能のフィンチューブ熱交換器を得ることができる。
【００６５】
図２２は、上述した本発明のフィンチューブ熱交換器を備えた空気調和機を多室型空気調和機に適用した場合の例を示す冷凍サイクル構成図である。  
単一の冷凍サイクルに対して、室内機が複数接続されたいわゆる多室型空気調和機と呼ばれるものがある。この多室型空気調和機は、室外機６０から循環される冷媒（例えば、Ｒ４１０Ａ，Ｒ３２，Ｒ４０７Ｃ，Ｒ４０４Ａ，Ｒ７４４，Ｒ１６１，Ｒ２９０，Ｒ１３４ａ，Ｒ１５２ａ，ＨＦＯ１２３４ｙｆなどの単一冷媒、またはこれらの混合冷媒）を、複数接続された室内機５０ａ，５０ｂ，…に各々必要量循環させるために冷媒可変減圧機構（電子膨張弁）９ａ，９ｂ…を備えており、この冷媒可変減圧機構の調整により運転されるものである。このような多室型の空気調和機においては、複数接続される各室内機５０ａ，５０ｂ，…の形態や容量は様々なものが選択されるように設計されている。そのため、室外機１台に対して室内機が１台のみ接続されている空気調和機に比べて過渡的な変化が大きく、熱交換器１００に対しては、性能及び信頼性がより高いものが要求される。
【００６６】
そこで、図１〜図２１で説明したような本発明のフィンチューブ熱交換器や、これを備えた空気調和機（室内機）を、多室型空気調和機に採用することにより、コンパクトで且つ高い性能、高い信頼性を安定的に得られ、室内機に冷媒可変減圧機構を備えている多室型空気調和機に求められる高い性能を発揮させることが可能となる。
【００６７】
なお、図２２において、６ａ，６ｂは室外機６０に設けられた圧縮機で、該圧縮機６ａ，６ｂから吐出された冷媒は油分離器７、四方弁８、室外熱交換器１０１、室外膨張弁（電子膨張弁）９、受液器１０を通って室内機５０（５０ａ，５０ｂ，…）側に流れる。また、室内機５０側からの冷媒は前記四方弁８及びアキュームレータ５を通って、再び前記圧縮機６ａ，６ｂに吸入される。１３は圧縮機６ａ，６ｂの吐出側と吸入側を接続する高低圧バイパス回路、１４はこの高低圧バイパス回路を開閉するための開閉弁であり、圧縮機の吐出側圧力が上昇し過ぎた場合や、起動時など圧縮機吸入側の温度を上げて吐出温度を早く上昇させたい場合などに前記開閉弁１４は開かれる。１０２は前記室外熱交換器１０１に外気を供給するための送風機である。前記各室内機５０ａ，５０ｂ，…にはそれぞれフィンチューブ熱交換器１００ａ，１００ｂ，…や、送風機５２ａ，５２ｂ，…なども設けられている。前記フィンチューブ熱交換器１００ａ，１００ｂ，…には、例えば前述した本発明の実施例１〜４の何れかで説明したものを使用する。
【００６８】
以上説明したように、本実施例によれば、伝熱管が小径化され、段ピッチ、列ピッチ、フィンピッチ等を縮小化することでフィンが小形化、高密度化されても、伝熱性能を向上し且つ通風抵抗の増加も抑制して、高性能なフィンチューブ熱交換器を得ることができる。
また、フィンチューブ熱交換器の製造時や空気調和機への組込時などに外力を受けてフィンが変形し、寸法誤差が生じた場合でも、熱交換器の効率低下を抑制して、熱交換性能のバラツキを最小限に抑えることもできる。
更に、上述した本発明の各実施例のフィンチューブ熱交換器を様々な形態の空気調和機へ適用することにより、空気調和機の高効率化及び高信頼性化を一層進めることが可能となる。
【符号の説明】
【００６９】
１：板状フィン、１ａ：座面（平板部）、
２，２１（２１ａ〜２１ｃ），２２（２２ａ，２２ｂ），２３（２３ａ〜２３ｃ）：伝熱管、２ｓ：直管部、２ｒ：曲管部、
３（３ａ〜３ｇ）：スリット部（３１ａ，３１ｂ，３３ａ，３３ｂ：斜面部、３２ａ，３２ｂ：平面部）、
４（４ａ，４ｂ）：リブ、
５：アキュームレータ、６ａ，６ｂ：圧縮機、７：油分離器、８：四方弁、９：室外膨張弁、９ａ，９ｂ：冷媒可変減圧機構、１０：受液器、
１３：高低圧バイパス回路、１４：開閉弁、
５０（５０ａ，５０ｂ）：空気調和機（室内機）、５１：筐体、５２（５２ａ，５２ｂ）：送風機、５３：電動機、５４：吸込フィルタ、５５：風向ガイド、５６：ドレンパン、
６０：室外機、
７０：天井、
１００（１００ａ，１００ｂ）：フィンチューブ熱交換器、
１０１：室外熱交換器、１０２：送風機。
【図１】
0005554741.tif 000002
【図２】
0005554741.tif 000003
【図３】
0005554741.tif 000004
【図４】
0005554741.tif 000005
【図５】
0005554741.tif 000006
【図６】
0005554741.tif 000007
【図７】
0005554741.tif 000008
【図８】
0005554741.tif 000009
【図９】
0005554741.tif 000010
【図１０】
0005554741.tif 000011
【図１１】
0005554741.tif 000012
【図１２】
0005554741.tif 000013
【図１３】
0005554741.tif 000014
【図１４】
0005554741.tif 000015
【図１５】
0005554741.tif 000016
【図１６】
0005554741.tif 000017
【図１７】
0005554741.tif 000018
【図１８】
0005554741.tif 000019
【図１９】
0005554741.tif 000020
【図２０】
0005554741.tif 000021
【図２１】
0005554741.tif 000022
【図２２】
0005554741.tif 000023